(57)【要約】【課題】飲みやすく、且つ、開口部の開度を調節できる飲用容器を提供する。【解決手段】把手３を有する容器本体１と、該容器本体１の開口部２を開閉する蓋体１９と、を備えた飲用容器Ｃにおいて；前記蓋体１０に柄１５を取り付け、前記柄１５と前記把手３を上下重ねるように配置し、前記柄１５と前記把手３を係合部１７により連接させ、前記係合部１７より前記蓋体１０と反対方向の前記柄１５を操作部１５ｂとし、前記操作部１５ｂによって前記係合部１５を支点として前記蓋体１０を上下方向及び左右方向に回動可能にする。【選択図】  図３
2004175359.tif 000002
【特許請求の範囲】
【請求項１】
把手を有する容器本体と、該容器本体の開口部を開閉する蓋体と、を備えた飲用容器において；
前記蓋体に柄を取り付け、前記柄と前記把手を上下重ねるように配置し、前記柄と前記把手を係合部により連接させ、前記係合部より前記蓋体と反対方向の前記柄を操作部とし、
前記操作部によって前記係合部を支点として前記蓋体を上下及び左右方向に回動できるようにしたことを特徴とする飲用容器。
【請求項２】
把手を有する容器本体と、該容器本体の開口部を開閉する蓋体と、を備えた飲用容器において；
前記蓋体に設けられた柄と、
前記柄と把手とを連結し、前記柄を上下及び左右方向に回動可能に支持するヒンジ手段と、
を備えていることを特徴とする飲用容器。
【請求項３】
把手を有する容器本体と、該容器本体の開口部を開閉する蓋体と、を備えた飲用容器において；
前記把手に突設された係止ピンと、
前記蓋体に接続され、係合穴が前記係止ピンに挿着されている柄であって、前記蓋体を上下及び左右方向に回動せしめる操作部を有する柄と；
を備えていることを特徴とする飲用容器。
【請求項４】
把手を有する容器本体と、該容器本体の開口部を開閉する蓋体と、を備えた飲用容器において；
前記把手に形成された係止長穴と、
前記蓋体に接続され、前記係止長穴と対向する係合長穴を有する柄であって、後端部が操作部になっている柄と；
前記両長穴に摺動自在に挿着され、前記柄を上下及び左右方向に回動可能に支持する固定ピンと、
を備えていることを特徴とする飲用容器。
【請求項５】
把手を有する容器本体と、該容器本体の開口部を開閉する蓋体と、を備えた飲用容器において；
前記把手に突設された貫通穴と、
前記蓋体に接続され、前記貫通穴に対向する係合穴を有する柄であって、後端部が操作部になっている柄と、
前記両穴に挿着され、前記柄を上下左右に回動可能に支持する係合ボルトと、
前記係合ボルトに螺着され、前記柄の当接部に離接する調整ナットと、
を備えていることを特徴とする飲用容器。
【請求項６】
把手を有する容器本体と、該容器本体の開口部を開閉する蓋体と、を備えた飲用容器において；
ねじ通路部と操作部を有する柄と、
前記ねじ通路部の一端側に挿着され、該柄を蓋体に固定せしめる蓋用ねじと、前記ねじ通路部の他端側に挿着され、把手に螺着される係合ねじであって、該柄を上下及び左右方向に回動可能に支持する係合ねじと、
を備えていることを特徴とする飲用容器。
【請求項７】
係止ピンの先端に、螺合ストッパ、又は、湾曲ストッパが設けられていることを特徴とする請求項３記載の飲用容器。
【請求項８】
蓋体の上面を上部に突出させ、前記蓋体の内側に、断熱層、又は、断熱部材を設けたことを特徴とする請求項１、２、３、４、５、又は、６記載の飲用容器。
【請求項９】
蓋体の左右方向の回転を規制する、ストッパが設けられていることを特徴とする請求項１、２、３、４、５、６、又は、７記載の飲用容器
【請求項１０】
ストッパが、柄の水平接続部、又は、把手の上水平部に設けられていることを特徴とする請求項９記載の飲用容器。
【請求項１１】
ストッパが、固定位置が調整可能なＬ字状ストッパであることを特徴とする請求項９記載の飲用容器。
【発明の詳細な説明】
【０００１】
【発明の属する技術分野】
この発明は、家庭やキャンプ場等で用いられる、湯飲み、マグカップ、コップ等の飲用容器に関するものであり、更に述べると、把手と蓋体とを備えた飲用容器に関するものである。
【０００２】
【従来の技術】
飲用容器、例えば、マグカップ、の容器本体には、把手と開口部とが設けられている。この開口部には、蓋体が設けられているが、この蓋体は、容器本体と別個独立に形成されている。そのため、飲用容器の内容物、例えば、熱いお茶、を飲む度毎に蓋体の着脱を繰り返さなければならないので、面倒である。
【０００３】
又、蓋体を容器本体から外してテーブル上に置くと、該蓋体の内面に付着している、水滴が落ちてテーブルを濡らしてしまう。そのため、該蓋体を伏せたままテーブルに置くこともできず、ひっくり返して置かざるを得ない。
【０００４】
しかし、前述のようにして蓋体をテーブルに置いたとしても、蓋体の内面には、まだ水滴が残っている。そのため、該蓋体をひっくり返して容器本体に被せると、前記水滴が落ちてしまう。
又、蓋体を指で摘み、水滴を気にしながらの蓋体を開閉するのは、大変面倒であるとともに、蓋体を指先だけでは確実に挟持することができず、落としてしまうことがある。
【０００５】
そこで、前記問題を解決するため、蓋体に柄を設け、該柄を把手にヒンジ結合し、該柄の後端部を操作部にすることが考えられる。
この従来例では、操作部を親指で押し下げると、前記蓋体は、ヒンジ部を支点として上方向に回動するので、開口部が開き、又、該親指を前記操作部から離すと、蓋体は自重により落下し開口部を封鎖する。
【０００６】
【発明が解決しようとする課題】
従来例には、次の様な問題がある。
ａ・蓋体は、上下方向にしか回動できないので、注出時に蓋体を開けると、前記開口部が全部開放される。そのため、寒い場所などで、内容物、例えば、熱いお茶、を飲む場合には、内容物が外気に触れ、さめやすくなる。
【０００７】
ｂ・蓋体を開け、開口部に直接口を付けて内容物、例えば、お茶、を飲もうとすると、蓋体が顔に接近して邪魔になるので、飲みにくい。
【０００８】
この発明は、上記事情に鑑み、飲みやすく、且つ、開口部の開度を調節できる様にすることを目的とする。
【０００９】
【課題を解決するための手段】
この発明は、把手を有する容器本体と、該容器本体の開口部を開閉する蓋体と、を備えた飲用容器において；前記蓋体に柄を取り付け、前記柄と前記把手を上下重ねるように配置し、前記柄と前記把手を係合部により連接させ、前記係合部より前記蓋体と反対方向の前記柄を操作部とし、前記操作部によって前記係合部を支点として前記蓋体を上下及び及び左右方向に回動できるようにしたことを特徴とする。
【００１０】
この発明は、把手を有する容器本体と、該容器本体の開口部を開閉する蓋体と、を備えた飲用容器において；前記蓋体に設けられた柄と、前記柄と把手とを連結し、前記柄を上下及び左右方向に回動可能に支持するヒンジ手段と、を備えていることを特徴とする。
【００１１】
この発明は、把手を有する容器本体と、該容器本体の開口部を開閉する蓋体と、を備えた飲用容器において；前記把手に突設された係止ピンと、前記蓋体に接続され、係合穴が前記係止ピンに挿着されている柄であって、前記蓋体を上下及び左右方向に回動せしめる操作部を有する柄と；を備えていることを特徴とする。なお、係止ピンは、前記柄に突設することもできる。
【００１２】
この発明は、把手を有する容器本体と、該容器本体の開口部を開閉する蓋体と、を備えた飲用容器において；前記把手に形成された係止長穴と、前記蓋体に接続され、前記係止長穴と対向する係合長穴を有する柄であって、後端部が操作部になっている柄と；前記両長穴に摺動自在に挿着され、前記柄を上下及び左右方向に回動可能に支持する固定ピンと、を備えていることを特徴とする。
【００１３】
この発明は、把手を有する容器本体と、該容器本体の開口部を開閉する蓋体と、を備えた飲用容器において；前記把手に突設された貫通穴と、前記蓋体に接続され、前記貫通穴に対向する係合穴を有する柄であって、後端部が操作部になっている柄と、前記両穴に挿着され、前記柄を上下左右に回動可能に支持する係合ボルトと、前記係合ボルトに螺着され、前記柄の当接部に離接する調整ナットと、を備えていることを特徴とする。
【００１４】
この発明は、把手を有する容器主体と、該容器本体の開口部を開閉する蓋体と、を備えた飲用容器において；ねじ通路部と操作部を有する柄と、前記ねじ通路部の一端側に挿着され、該柄を蓋体に固定せしめる蓋用ねじと、前記ねじ通路部の他端側に挿着され、把手に螺着される係合ねじであって、該柄を上下及び左右方向に回動可能に支持する係合ねじと、を備えていることを特徴とする。
【００１５】
この発明の係止ピンの先端には、螺合ストッパ、又は、湾曲ストッパが設けられていることを特徴とする。
【００１６】
この発明の蓋体の上面を上部に突設させ、前記蓋体の内側には、断熱層、又は、断熱材が設けられていることを特徴とする。飲用容器には、蓋体の横方向の回転を規制するストッパが設けられていることを特徴とする。このストッパは、柄の水平接続部、又は、把手の上水平部に設けられていることを特徴とする。このストッパは、固定位置が調整可能なＬ字状ストッパであることを特徴とする。
【００１７】
【発明の実施の形態】
この発明の第１実施の形態を図１〜図３により説明する。
飲用容器、例えば、マグカップ、は、容器主体１と蓋体１０とを備えている。容器主体１は、有底円筒状体であり、その上端には、開口部２が設けられ、その外周面には、把手３が設けられている。
【００１８】
この把手３は、上水平部３ａと、下水平部３ｂと、前記両部３ａ、３ｂを連結する傾斜部３ｃと、を備えている。前記上水平部３ａには、係止ピン５の基端部５ａが固定されている。
【００１９】
蓋体１０は、前記容器主体１の開口部２を覆う円盤状体であり、その外周縁には、円筒壁１１が立設されている。この円筒壁１１の長さは、必要に応じて適宜選択される。
【００２０】
蓋体１０の円筒壁１１には、柄１５が連結されている。この柄１５は、水平接続部１５ａと操作部１５ｂとを備えているが、この操作部１５ｂは、柄１５の後端部側に位置し、斜め上方、即ち、把手３と反対側に傾斜している。
【００２１】
前記水平接続部１５ａと操作部１５ｂとの境界部には、係合穴１６が設けられている。この係合穴１６は、係止ピン５に遊嵌合され、該係止ピン５の先端には、螺着ストッパ７が装着されている。この係止ピン５と係合穴１６は、係合部（係合手段）１７を構成している。この係合部１７は、把手３上辺の外側（傾斜部３Ｃ側）に設けられているが、この様な位置にすると、蓋体１０を上下、又は、横方向へ開く場合に、柄１５の操作部１５ｂの動きが小さくても、蓋体１０の移動が大きくなり、操作が容易となる。
【００２２】
次に本実施の形態の作動について説明する。
内容物を充填する場合：
容器本体１に内容物、例えば、熱いお茶、を充填する場合には、把手３を手Ｈで握り、小指ＨＳを下水平部３ｂの下側に当て、親指ＨＢで操作部１５ｂを押し上げる。
そうすると、図２に示すように、蓋体１０は、係合部１７を支点として矢印Ａ１０ｙ方向に回動し、開口部２が開くとともに、円筒壁１１は開口部２から離れる。この時、操作部１５ｂは、上水平部３ａと平行状態となる。
【００２３】
次に、親指ＨＢで操作部１５ｂを左横方向に押すと、図３に示すように、蓋体１０は、係合部１７を支点として矢印Ａ１７ｘ方向に回動し、開口部２は全開状態となる。
【００２４】
熱いお茶が入っている急須から、容器本体１の開口部２にお茶を注入してもらう。この時、蓋体１０は、開口部２の横に位置しているので、注入に支障をきたすことはない。
なお、開口部２は、必ずしも全開にする必要はなく、注入作業に必要な程度に開いていればよい。この様に開口部２の開度を調節して充填作業を行うと、充填中の熱いお茶がさめにくくなるので、保温効果上好都合である。
【００２５】
そして、容器本体１内に前記お茶が所定量溜まったら、急須を元の状態に戻し前記充填作業を停止する。
前記操作部１５ｂを親指ＨＢで押圧し、蓋体１０を矢印Ａ１０ｘと反対方向に回動させて開口部２上に位置させた後、前記操作部１５ｂから親指ＨＢを離す。
そうすると、蓋体１０は、開口部２に嵌着され、開口部２は封鎖される。
【００２６】
内容物を飲む場合：
手Ｈで把手３を握り、小指ＨＳを下水平部３ｃに当て、親指ＨＢを操作部１５ｂを押し上げた後、左横方向に押圧すると、蓋体１０は矢印Ａ１０ｘ方向に回動し、図３の状態になり、開口部２が開かれる。
なお、蓋体１０は、必ずしも全開にする必要はなく、飲むのに支障のない開度（調節開度）であれば充分である。
この時、操作部１５ｂを前記親指ＨＢで押し上げると、柄１５は、螺着ストッパ７に圧接し、蓋体１０は開口部２の端面に押しつけられるので、動かなくなる。
【００２７】
この状態で容器本体１の開口部２に口をつけ、容器本体１の底部を上方に移動させて傾けると、容器本体１内の熱いお茶が開口部２から口内に流入する。この時、蓋体１０は、前述のように、動きを規制されているので、飲むときに邪魔になることはない。
なお、前述のように、開口部２を全開にしないで、その開度を調節すると、容器本体１内のお茶がさめにくいので、保温上好都合である。
【００２８】
所望量飲んだ後、容器本体１の開口部２を口から離し、親指ＨＢで操作部１５ｂを横方向に押圧して蓋体１０を、前記矢印Ａ１０ｘと反対方向に回し、開口部２に被せる。飲用容器Ｃをテーブル上に置き、把手３から手Ｈを離す。
この飲用容器Ｃは、封鎖状態を維持しているので、内容物である熱いお茶は、さめにくい。
【００２９】
飲用容器Ｃの清掃：
容器本体１内のお茶が無くなったら、螺合ストッパ７を所定方向に回して係止ピン５の先端から外し、蓋体１０を係止ピン５から抜き出す。そして、容器本体１と蓋体１０とを洗うが、両者１，１０は、分離されているので、容易に洗うことができる。
【００３０】
この発明の第２実施の形態を図４〜図７により説明するが、図１〜図３と同一図面符号は、その名称も機能も同一である。
この実施の形態と前記第１実施の形態との相違点は、係合部（係合手段）である。即ち、
【００３１】
この実施の形態では、把手３に係止長穴２０と下摘み貫入穴２１が設けられている。この係止長穴２０は、上水平部３ａに形成され、その幅は、係合部材２３の係合軸２３ａの直径より大きく、かつ、摘み２３ｂ、２３ｃの直径より小さく形成されている。
【００３２】
下摘み貫入穴２１は、傾斜部３ｃの隅部に、前記係止長穴２０と連続して設けられ、摘み２３ｂが通過できる大きさに形成されている。
【００３３】
柄１５には、前記係止長穴２０、下摘み貫入穴２１に対向する係合長穴２５、上摘み貫入穴２６が設けられている。この係合長穴２５は、水平接続部１５ａに形成され、上摘み貫入穴２６は、操作部１５ｂに、前記係合長穴２５と連続して設けられている。なお、摘み２３ｂ、２３ｃを係合軸２３ａに螺着すると、両摘み２３ｂ、２３ｃを着脱できるので、前記上及び下摘み貫入穴２１，２６を省略することができる。
【００３４】
この実施の形態では、係合部材２３の摘み２３ｂを摘み貫入穴２１，２６から挿入し、係合軸２３ａを該両長穴２０，２５に挿入し、図５に示す状態にする。
【００３５】
係合部材２３の摘み２３ｂ、２３ｃを摘んで摘み貫入穴２１，２６側に移動し、親指で操作部１５ｂを押し下げると、蓋体１０は、上下方向に開く。該操作部１５ｂを左横方向に押圧すると、図６に示すように、蓋体１０が水平方向に回動し、開口部２が全開する。
【００３６】
親指で操作部１５ｂを操作し、蓋体１０を開口部２と対向する位置まで戻した後、該親指を離すと、蓋体１０は、自重で落下し開口部２を封鎖する。
この時、係合部材２３を容器本体１側に移動させ、図７の状態にすると、蓋体１０が開口部２に圧接されるので、容器本体１を搬送する時等に振動しても、不用意に開蓋することがない。
【００３７】
この発明の第３実施の形態を図８〜図１１により説明するが、図１〜図３と同一図面符号は、その名称も機能も同一である。
この実施の形態と前記第１実施の形態との相違点は、係合部（係合手段）である。即ち、
【００３８】
この実施の形態では、把手３に上水平部３ａには、係合ボルト３０と螺合する、ねじ穴３１が設けられ、柄１５の水平接続部１５ａには、前記係合ボルト３０が貫通する係合穴３５が設けられている。前記ねじ穴３１と係合穴３５との間には、スペーサ３３が介在しており、このスペーサ３３の中心部には、係合ボルト３０が貫通する貫通穴３４が設けられている。
【００３９】
柄１５の水平接続部１５ａの上方には、ナット３８が設けられている。
このナット３８は、中心ナット３８ａと円筒ナット３８ｂとから構成されている。前記中心ナット３８ａは、係合ボルト３０の先端部に螺着合され、又、円筒ナット３８ｂは、該中心ナット３８ａの外周面に螺着される。
【００４０】
この実施の形態では、図９に示すように、円筒ナット３８ｂは、水平接続部１５ａの上面１５ｆに圧接している。この円筒ナット３８ｂを所定方向に回すと、図１１に示すように、ナット３８が水平接続部１５ａから離れ、柄１５の上下及び左右方向の回動が自由になるので、蓋体１０の開閉を行うことが出来る。
【００４１】
操作部１５ｂを操作して、蓋体１０を回動させ、開口部２に被せた後、円筒ナット３８ｂを前記と逆方向に回転させ、水平接続部１５ａを押圧すると、柄１５は、把手３に固定されると共に、容器本体１は封鎖状態を維持される。そのため、容器本体１を搬送する時等に振動しても、不用意に開蓋することがない。
【００４２】
この発明の第４実施の形態を図１２、図１３により説明するが、図１〜図３と同一図面符号は、その名称も機能も同一である。
この実施の形態と前記第１実施の形態との相違点は、係合部（係合手段）である。即ち、
【００４３】
柄１５は、伸長水平部４０と操作部１５ｂとから構成されている。この伸長水平部４０は、Ｕ字状のフレーム部であり、その長さＬは、蓋体１０の直径の長さとほぼ等しいが、この長さＬは、必要に応じて適宜選択することができる。
【００４４】
このフレーム部４０は、押さえ板４１の嵌合溝４１ａに嵌着されている。この押さえ板４１には、図示しない貫通穴が設けられ、この貫通穴には、蓋用ねじ４３が挿入されている。この蓋用ねじ４３の先端は、蓋体１０の中央部に形成された、図示しないねじ穴に螺着され、その頭部４３ａは、押さえ板４１に圧接している。
【００４５】
フレーム部４０のねじ通路４２には、係合ねじ４５が挿入され、その先端は、把持３の上水平部３ａの螺合穴４６に螺着され、その頭部４５ａは、フレーム部４０に圧接している。
【００４６】
この実施の形態では、ねじ４３，４５をゆるめ、伸長水平部４０を摺動させて、操作部１５ｂの位置を調節し、その後、前記両ねじ４３，４５を締め付け固定する。この様にして、力点となる操作部１５ｂと、支点となる係合部１７との間隔を変更すると、操作部１５ｂを押圧する親指の負荷を変更することができる。
【００４７】
なお、伸長水平部４０をＵ字状のフレームで構成する代わりに、板状体で形成し、該板状体に長手方向に沿って複数の位置調整穴を設けてもよい。
この場合には、前記位置調整穴から両ねじ４３，４５を抜き出した後、該板状体を摺動させて操作部１５ｂを任意の位置に調整し、前記両ねじ４３，４５を所定の位置調整穴に挿着し、固定する。
【００４８】
この発明の第５実施の形態を図１４により説明するが、図１〜図３と同一図面符号は、その名称も機能も同一である。
この実施の形態と前記第１実施の形態との相違点は、係合部（係合手段）である。即ち、
【００４９】
係止ピン５の先端部を伸長して湾曲させ、湾曲ストッパ５０を形成したことである。なお、この湾曲ストッパ５０の湾曲方向は、特に限定されるものではない。このストッパ５０を用いると、螺着ストッパ７の着脱が不要となるので、柄１５の着脱が容易となる。
【００５０】
この発明の第６実施の形態を図１５により説明するが、図１〜図３と同一図面符号は、その名称も機能も同一である。
この実施の形態と前記第１実施の形態との相違点は、次の通りである。
ａ．蓋体１０の中央部を半球状に外方に突出させ、張出部５２を形成したこと。
【００５１】
ｂ．蓋体１０の外周縁部の内面に、開口部２の外側に位置する半球状外周壁５３を立設したこと。この半球状外周壁５３は、前記第１実施の形態の円筒壁１１に比べて短い（小さい）ので、蓋体１０を水平方向に回動させる際に、蓋体１０の上下方向の持ち上げ高さを低くすることができる。従って、操作部１５ｂを押圧する親指の負荷を軽減させることができる。
【００５２】
ｃ．容器本体１の開口部２の外縁２ａを面取りし、１／４円弧状の曲面にしたこと。この様にすると、開口部２の蓋体１０の内面１０ａと密接する端面２ｂは、シール機能上有効であり、又、外縁２ａの曲面は、ずれ調整機能上有効となる。
【００５３】
この発明の第７実施の形態を図１６により説明するが、図１〜図３と同一図面符号は、その名称も機能も同一である。
この実施の形態と前記第１実施の形態との相違点は、次の通りである。
ａ．蓋体１０の内面１０ａに、半球状内周壁５６を立設したこと。この半球状内周壁５６は、開口部２の内側に位置しているが、この半球状内周壁５６は、前記第１実施の形態の円筒壁１１に比べて小さいので、蓋体１０を水平方向に回動させる際に、蓋体１０の上下方向の持ち上げ高さを低くすることができる。従って、操作部１５ｂを押圧する親指の負荷を軽減させることができる。
ｂ．容器本体１の開口部２の上端面２ｃが半球状に形成されていること。
【００５４】
この発明の第８実施の形態を図１７により説明するが、図１〜図３と同一図面符号は、その名称も機能も同一である。
この実施の形態と前記第１実施の形態との相違点は、次の通りである。
ａ．蓋体１０の断面が円弧状に形成されていること。
ｂ．蓋体１０の内側に断熱材６０が張設され、空気層（断熱層）６１が形成されていること。この断熱材６０の凹部６０ａは、曲面に形成し、その凸部６０ｂは、鋭角に形成されている。
この様に凹凸部を形成すると、蓋体１０に衝撃を与えた場合に、断熱材６０に付着した水滴は、凸部６０ｂを伝って落ち易くなる。この断熱層６１は、内容物である、熱いお茶をさめにくくする、という効果を奏する。なお、断熱材６０の代わりに、薄膜を用いても良い。
【００５５】
この発明の第９実施の形態を図１８により説明するが、図１７と同一図面符号は、その名称も機能も同一である。
この実施の形態と前記第８実施の形態（図１７）との相違点は、蓋体１０が、断面円弧状に形成されている代わりに、前記第１実施の形態（図１〜図３）と同様、円板状に形成されていること、である。
【００５６】
この発明の第１０実施の形態を図１９により説明するが、図１〜図３と同一図面符号は、その名称も機能も同一である。
この実施の形態と前記第１実施の形態との相違点は、次の通りである。
（１）蓋体１０が、三角錐状に形成されていること。
【００５７】
（２）蓋体１０の内側に平板状の断熱材６６が張設され、断熱層（空気層）６７が形成されていること。この断熱材６６には、複数の水平突起７０が設けられている。この断熱材６６は、平板状に形成されているため、前記第８、第９実施の形態の断熱材６０，６３に比べ、表面積が小さくなるので、水滴の付着を少なくすることができる。
【００５８】
この発明の第１１実施の形態を図２０により説明するが、図１〜図３と同一図面符号は、その名称も機能も同一である。
この実施の形態と前記第１実施の形態との相違点は、蓋体の左右方向の回転を制御する、ストッパ７１を設けたことである。
このストッパ７１は、柄１５の上水平部１５ａの側縁に設けられた、下向きの棒状突起部である。このストッパ７１は、閉蓋時には、その内面側が、把手３の容器本体１側の上水平部３ａに当接し、又、開蓋時には、蓋体１０を中心角θ、例えば、θ＝９０度、右横回転させると、その側面７１ｓが把手３の傾斜部３ｃ側の上水平部３ａに当接する。
【００５９】
そのため、蓋の開閉時に、親指に力が入りすぎて、蓋体１０が急激に回転して遠心力が働いても、中心角θだけ回転すると、ストッパ７１が上水平部３ａに当接するので、確実に回転を停止する。従って、開閉時の蓋体１０の位置を、確実に設計位置にすることができる。
【００６０】
この発明の第１２実施の形態を図２１により説明するが、図１〜図３と同一図面符号は、その名称も機能も同一である。
この実施の形態と前記第１１実施の形態（図２０）との相違点は、蓋体の左右方向の回転を制御するストッパが、柄１５の代わりに、把手３の上水平部３ａの側縁に形成されていることである。
【００６１】
このストッパ７５は、上向きの三角柱部であり、閉蓋時、その側面は、柄１５の水平接続部１５ａ側の側面に当接し、又、開蓋時、その正面７５ｓは、柄１５の操作部１５ｂ側の側面に当接する。本実施の形態の効果は、前記第１１実施の形態と同じである。
なお、前記第１１及び第１２の実施の形態を組み合わせ、柄１５及び把手３にそれぞれストッパを設けても良い。
【００６２】
この発明の第１３実施の形態を図２２により説明するが、図１〜図３と同一図面符号は、その名称も機能も同一である。
この実施の形態と前記第１１（図２０）実施の形態との相違点は、ストッパとして、柄に固定されている棒状突起部の代わりに、固定位置が調整可能なＬ字状ストッパ７７を用いることである。
【００６３】
このＬ字状ストッパ７７は、水平部７７ａと、該水平部７７ａの一端に設けられ、係止ピンに嵌着されるリング部７７ｂと、該水平部７７ａの他端に連続する垂直部７７ｃと、から構成されている。
この実施の形態では、蓋体１が、右横方向に所定中心角度、回転すると、水平接続部１５ａがストッパ７７に当接して止まる。
【００６４】
前記ストッパ７７の垂直部７７ｃの位置は、変更することができる。即ち、前記螺合ストッパ７を係止ピンから外した後、ストッパ７７を持ち上げて左横方向に回し、垂直部７７ｃを傾斜部３Ｃの右側から左側に移動する。その後、螺合ストッパ７を係止ピンに螺着する。この様にすると、蓋体１を前記と反対方向に所定中心角度、回転すると、水平接続部１５ａがストッパ７７に当接する。
【００６５】
本実施の形態では、右利き、或いは、左利きに合わせて、ストッパの位置を調整できるので、使いやすい飲用容器となる。
【００６６】
この発明の実施の形態は、上記に限定されるものではない。
前記容器本体や蓋体等は、ステンレス等の金属で形成されているが、必ずしもこれに限定されるものではなく、必要に応じて適宜選択することができる。例えば、その材料として耐熱ガラス、陶器、合成樹脂等を選択することができる。
【００６７】
【発明の効果】
この発明は、以上のように構成したので、次のような効果を奏することができる。
（１）蓋体の開閉が簡単になり、片手で開閉できると共に、開口部の開度も片手で容易に調節することができる。
【００６８】
（２）飲用容器の開口部に口を付けて内容物を飲む際、蓋体が顔の方に倒れないように操作部で規制することができる。そのため、蓋体の無い飲用容器と同様の感覚で飲むことができる。
【００６９】
（３）例えば、アウトドア、キャンプ等の寒いところでは、蓋体の開ける量を調節し、内容物が外気に触れる量を少なくすることができる。そのため、内容物の温度を保つことができる。
（４）蓋体の内側に断熱層（空気層）を形成したので、容器本体の内容物の温度を維持することができる。
（５）蓋体の左右方向の回転を規制する、ストッパが設けられているので、蓋体の廻り過ぎを防止することができる。
【図面の簡単な説明】
【図１】本発明の第１実施の形態を示す縦断面図である。
【図２】蓋体を上下方向に回動した状態を示す縦断面図である。
【図３】蓋体を左右方向に回動した状態を示す斜視図である。
【図４】本発明の第２実施の形態を示す斜視図である。
【図５】図４の係合部の拡大断面図である。
【図６】蓋体を左右方向に回動させた状態を示す斜視図である。
【図７】係合部の固定状態を示す拡大断面図である。
【図８】本発明の第３実施の形態を示す縦断面図である。
【図９】閉蓋時の係合部の拡大断面図である。
【図１０】開蓋状態を示す斜視図である。
【図１１】開蓋時の係合部の拡大縦断面図である。
【図１２】本発明の第４実施の形態を示す斜視図である。
【図１３】開蓋状態を示す斜視図である。
【図１４】本発明の第５実施の形態を示す斜視図の一部を示す図である。
【図１５】本発明の第６実施の形態を示す縦断面図である。
【図１６】本発明の第７実施の形態を示す縦断面図である。
【図１７】本発明の第８実施の形態を示す縦断面図である。
【図１８】本発明の第９実施の形態を示す縦断面図である。
【図１９】本発明の第１０実施の形態を示す縦断面図である。
【図２０】本発明の第１１実施の形態を示す斜視図の一部を示す図である。
【図２１】本発明の第１２実施の形態を示す縦断面図である。
【図２２】本発明の第１３実施の形態を示す縦断面図である。
【符号の説明】
１    容器本体
２    開口部
３    把手
５    係止ピン
１０蓋体
１１    円筒壁
１５      柄
１５ａ      水平接続部
１５ｂ      操作部
１６      係合穴
１７      係合部
Ｃ    飲用容器
【図１】
2004175359.tif 000003
【図２】
2004175359.tif 000004
【図３】
2004175359.tif 000005
【図４】
2004175359.tif 000006
【図５】
2004175359.tif 000007
【図６】
2004175359.tif 000008
【図７】
2004175359.tif 000009
【図８】
2004175359.tif 000010
【図９】
2004175359.tif 000011
【図１０】
2004175359.tif 000012
【図１１】
2004175359.tif 000013
【図１２】
2004175359.tif 000014
【図１３】
2004175359.tif 000015
【図１４】
2004175359.tif 000016
【図１５】
2004175359.tif 000017
【図１６】
2004175359.tif 000018
【図１７】
2004175359.tif 000019
【図１８】
2004175359.tif 000020
【図１９】
2004175359.tif 000021
【図２０】
2004175359.tif 000022
【図２１】
2004175359.tif 000023
【図２２】
2004175359.tif 000024